(57)【要約】      （修正有）【課題】折り畳み易く、しかも、折り畳んだ状態で叩いて声援を送ることができる折り畳み式メガホンを提供する。【解決手段】４つの側面を筒状にして拡声部を形成するメガホンであって、折り畳む際に内側になる側面の幅Ｗ´を、折り畳む際に外側になる側面の幅Ｗより短くする。４つの側面１〜４は、折り込み部１８〜２１で互いに連接されており、端部は溶着部５で接合されているので、４つの側面１〜４を折り込んで筒状にすることにより、四角錐の拡声部を形成することができる。【選択図】図１
0003154386.tif 000002
【実用新案登録請求の範囲】
【請求項１】
４つの側面を筒状にして拡声部を形成するメガホンであって、折り畳む際に内側になる側面の幅Ｗ´を、折り畳む際に外側になる側面の幅Ｗより短くすることを特徴とするメガホン。
【請求項２】
前記側面の長さをＬとするとき、折り畳む際に外側になる側面の幅狭端からＬ／５〜Ｌ／３の位置にホックを有し、折り畳む際に内側になる側面にホックを貫通させるホック通し穴を有することを特徴とする請求項１に記載のメガホン。
【請求項３】
前記側面の幅狭端に口当部を有し、折り畳む際に外側になる側面に連接する２つの口当部同士、及び、折り畳む際に内側になる側面に連接する口当部同士を一部接続することにより拡声部を形成した際に口当部が拡声部の内側方向に固定可能であることを特徴とする請求項１または請求項２に記載のメガホン。
【考案の詳細な説明】
【技術分野】
【０００１】
本考案は、メガホンに関する。具体的には、４つの側面を筒状にして拡声部を形成する折り畳み式メガホンに関する。
【背景技術】
【０００２】
折り畳み式メガホンについては従来から種々の提案があり、例えば、実開昭６１−１３０９９９号公報（下記特許文献１）には、４枚の同一正台形の斜辺を順次つなぎ組み立てることによる正角錐台形のメガホンが記載されている。
【０００３】
また、実開平６−６４２９９号公報（下記特許文献２）には、扇形に切った厚紙を、扇子として使用するとともに、これに、折り目をつけ、それに沿って曲げて角すい台形とし，左紙端と，右紙端を重ね会わせて固定具によって固定し，メガホンとして使用することにより、任意に分解，組み立てが可能なメガホンが記載されている。
【０００４】
しかし、特許文献１のメガホンは４枚の同一正台形の斜辺を順次つなぎ組み立てるため、折り畳む際に、内側部が邪魔になって折り畳みにくいという問題点があった。
【０００５】
また、特許文献２のように扇子として使用する方法はあったが、本考案のように叩いて声援を送るツールとして使用することは考案されていなかった。
【特許文献１】実開昭６１−１３０９９９号公報
【特許文献２】実開平６−６４２９９号公報
【考案の開示】
【考案が解決しようとする課題】
【０００６】
本考案は、前述のような従来技術の問題点を解決し、折り畳み易く、しかも、折り畳んだ状態で叩いて声援を送ることができる折り畳み式メガホンを提供することを課題とする。
【課題を解決するための手段】
【０００７】
本考案は、前述の課題を解決すべく、鋭意検討の結果なされたものであり、その要旨とするところは実用新案登録請求の範囲に記載した通りの下記内容である。
（１）４つの側面を筒状にして拡声部を形成するメガホンであって、折り畳む際に内側になる側面の幅Ｗ´を、折り畳む際に外側になる側面の幅Ｗより短くすることを特徴とするメガホン。
（２）前記側面の長さをＬとするとき、折り畳む際に外側になるの幅狭端からＬ／５〜Ｌ／３の位置にホックを有し、折り畳む際に内側になる側面にホックを貫通させるホック通し穴を有することを特徴とする（１）に記載のメガホン。
（３）前記側面の幅狭端に口当部を有し、折り畳む際に外側になる側面に連接する２つの口当部同士、及び、折り畳む際に内側になる側面に連接する口当部同士を一部接続することにより拡声部を形成した際に口当部が拡声部の内側方向に固定可能であることを特徴とする（１）または（２）に記載のメガホン。
＜作用＞      
（１）の考案によれば、折り畳む際に内側になる側面の幅Ｗ´を、折り畳む際に外側になる側面の幅Ｗより短くすることにより、折り畳む際に内側の側面が邪魔にならないので容易に折り畳むことができる。
（２）の考案によれば、折り畳む際に外側になる側面の幅狭端からＬ／５〜Ｌ／３の位置にホックを有し、折り畳む際に内側になる側面にホックを貫通させるホック通し穴を有することにより、折り畳んだ際に、側面の幅広端が少し開いた状態にできるため、叩くとクラップ音がでるので声援を送るツールとして使用することができる。
（３）の考案によれば、側面の幅狭端に口当部を有し、折り畳む際に外側になる側面に連接する２つの口当部同士、及び、折り畳む際に内側になる側面に連接する口当部同士を一部接続することにより拡声部を形成した際に口当部が拡声部の内側方向に固定することができる。
【考案の効果】
【０００８】
本考案によれば、折り畳み易く、しかも、叩いたときにクラップ音を出すことができるため、折り畳んだ状態で叩いて声援を送ることができる折り畳み式メガホンを提供することができるなど、産業上有用な著しい効果を奏する。
【図面の簡単な説明】
【０００９】
【図１】本考案のメガホンの展開図である。
【図２】本考案のメガホンを半分に折り畳んだ状態を示す図である。
【図３】本考案のメガホンを４分の１に折り畳んだ状態を示す図である。
【考案を実施するための形態】
【００１０】
本考案を実施するための形態について図１〜図３を用いて詳細に説明する。
【００１１】
図１〜図３において、１〜４は側面a〜d、５は溶着部、６〜９は口当部a〜d、１０〜１１は口当接合部a〜b、１２〜１３はホック通し穴a〜b、１４はホックオス、１５はホックメス、１６〜１７は厚み調節穴a〜b、１８〜２１は  折り込み部a〜dを示し、同じ要素については同じ番号を付することにより重複した説明を省略する。
【００１２】
図１は、本考案のメガホンの展開図である。
【００１３】
図１に示すように、本考案のメガホンは、４つの側面a〜d（１〜４）を筒状にして拡声部を形成するメガホンである。４つの側面a〜d（１〜４）は、折り込み部a〜d（１８〜２１）で互いに連接されており、端部は溶着部５で接合されているので、４つの側面a〜d（１〜４）を折り込んで筒状にすることにより、四角錐の拡声部を形成することができる。
【００１４】
本考案のメガホンは、折り畳む際に内側になる側面の幅Ｗ´を、折り畳む際に外側になる側面の幅Ｗより短くすることにより折り畳み可能であることを特徴とする。前述の特許文献１に記載されている折り畳み式メガホンは、４枚の同一正台形の斜辺を順次つなぎ組み立てるため、折り畳む際に、内側部が邪魔になって折り畳みにくいという問題点があった。
【００１５】
そこで、本考案のメガホンは、図１に示すように、折り畳む際に内側になる側面a〜ｂ（１〜２）の幅Ｗ´を、折り畳む際に外側になる側面ｃ〜d（３〜４）の幅Ｗより短くする（Ｗ´＜Ｗ）ことにより、折り畳む際に内側になる側面a〜ｂ（１〜２）が邪魔にならないため、容易に折り畳むことができる。Ｗ´とＷとの差異は、メガホンの大きさ、及び、側面の厚みや強度により、数ミリ（好ましくは１〜５ｍｍ）の範囲で決定すればよい。
【００１６】
また、図１に示すように、側面の長さをＬとするとき、折り畳む際に外側になる側面ｃ〜d（３〜４）の幅狭端からＬ／５〜Ｌ／３の位置にホックを有し、折り畳む際に内側になる側面a〜ｂ（１〜２）にホックを貫通させるホック通し穴を有することが好ましい。
【００１７】
折り畳む際に外側になる側面ｃ〜d（３〜４）の幅狭端からＬ／５〜Ｌ／３の位置にホック（１４〜１５）を有し、折り畳む際に内側になる側面a〜ｂ（１〜２）にホックを貫通させるホック通し穴（１２〜１３）を有することにより、ホックの下部が支点となって、折り畳む際に側面の幅広端を適度に開くことができ、叩くとクラップ音がでるので声援を送るツールとして使用することができる。
【００１８】
また、前記側面の幅狭端に口当部a〜d（６〜９）を有し、折り畳む際に外側になる側面に連接する２つの口当部同士ｃ〜d（８〜９）、及び、折り畳む際に内側になる側面に連接する口当部同士a〜b（６〜７）を一部接続（好ましくは接続幅：０．５〜１．０ｍｍ）することにより、口当部a〜d（６〜９）を内側に折り曲げたときに反発しないので、拡声部を形成した際に口当部a〜d（６〜９）が拡声部の内側方向に固定可能である。
【００１９】
また、口当接合部a〜b（１０〜１１）にはカット部（切り込み）を設け、このカット部の近くに厚み調節穴a〜b（１６〜１７）を設けることにより、口当部a〜d（６〜９）を折り曲げたときの反発力を逃がすことができる。
【００２０】
なお、前記側面同士の連接部の端部に緩やかなカーブ（カットアール）を設けることにより、使用者の人体を傷つけることを防止できる。
【００２１】
本考案のメガホンの材質は問わないが、プラスチックなどの樹脂製にすることにより、湿度に強く雨の中でも使用することができる。
【００２２】
図２は、本考案のメガホンを半分に折り畳んだ状態を示す図である。
【００２３】
図２に示すように、本考案のメガホンを半分に折り畳んだ状態では、側面の幅狭端に設けられた口当部a〜d（６〜９）が直線状になるため、内側に折り曲げ易くすることができる。
【００２４】
図３は、本考案のメガホンを４分の１に折り畳んだ状態を示す図である。
【００２５】
図３に示すように、本考案のメガホンを１／４に折り畳んだ状態では、側面の幅狭端に設けられた口当部a〜d（６〜９）の片側が下がる形状になる。
【実施例】
【００２６】
図１〜図３に示すメガホンを側面の長さＬを２３０ｍｍ、ホック位置を側面の幅狭端から５０ｍｍの位置にして試作し、野球観戦に使用したところ、折り畳み易く、しかも、折り畳み時の微妙な開き加減により叩いたときにクラップ音を出すことができるため、折り畳んだ状態で叩いて声援を送ることができたことから本考案の効果を確認することができた。
【符号の説明】
【００２７】
１  側面a
２  側面b
３  側面c
４  側面d
５  溶着部
６  口当部a
７  口当部b
８  口当部c
９  口当部d
１０  口当接合部a
１１  口当接合部b
１２  ホック通し穴a
１３  ホック通し穴b
１４  ホックオス
１５  ホックメス
１６  厚み調節穴a
１７  厚み調節穴b
１８  折り込み部a
１９  折り込み部b
２０  折り込み部c
２１  折り込み部d
【図１】
0003154386.tif 000003
【図２】
0003154386.tif 000004
【図３】
0003154386.tif 000005